(57)【要約】【課題】マイナス粒子発生装置において、空気中の有害物質を分解できないという課題を有していた。【解決手段】電気的に接地した光電子発生材１と、光電子発生材１に光を照射するための光源２とを備え、光電子発生材１に光を照射すると共に、光電子発生材１の表面に空気を流すことによりマイナス粒子を発生させるマイナス粒子発生装置において、光源２は少なくとも２００ｎｍ以下の波長を含む紫外線を発生する構成とした。これにより、マイナス粒子発生装置からマイナス粒子を安定して気体に付加することができ、同時にオゾンを生成でき有害物質を分解することもできるようになる。【選択図】  図１
2004227795.tif 000002
【特許請求の範囲】
【請求項１】
電気的に接地した光電子発生材と、前記光電子発生材に光を照射するための光源とを備え、前記光電子発生材に光を照射すると共に、前記光電子発生材の表面に空気を流すことによりマイナス粒子を発生させるマイナス粒子発生装置において、前記光源は少なくとも２００ｎｍ以下の波長を含む紫外線を発生することを特徴とするマイナス粒子発生装置。
【請求項２】
通風手段を備え、前記通風手段によって光電子発生材に空気を流すことを特徴とする請求項１に記載のマイナス粒子発生装置。
【請求項３】
光電子発生材は、電気的に接地した導電性基材上に設けてなることを特徴とする請求項１または２に記載のマイナス粒子発生装置。
【請求項４】
光を照射するための光源は直管状であることを特徴とする請求項１から３のいずれか１項に記載のマイナス粒子発生装置。
【発明の詳細な説明】
【０００１】
【発明の属する技術分野】
本発明は、空気にマイナス粒子を付加する装置に関するものであり、特に導電性物質への紫外線照射等により発生する光電子を利用したマイナス粒子発生装置に関するものである。
【０００２】
【従来の技術】
従来のマイナス粒子発生装置としては、図８に示すようなものがある（例えば、特許文献１参照）。
【０００３】
図８において、光電子発生材５１が容器５６の内部に設置されている。光電子発生材５１には電気的な接地５５が取り付けられ、光源５２からの紫外線によって光電子発生材５１から光電子が発生し、空気入口５３から入ってくる空気中の水や酸素等の分子または埃等の微粒子が、流路制御材５７で制御されることで光電子発生材５１の表面を通り、光電子が捕獲されてマイナス粒子として空気出口５４から装置外に放出される。
【０００４】
【特許文献１】
特許第３３２２２６７号公報
【０００５】
【発明が解決しようとする課題】
しかしながら、前記従来のマイナス粒子発生装置では、光電子発生材に紫外線を照射することにより生じる光電子（この現象を光電効果と呼ぶ）を利用している。つまり何らかの手法で光電子放出装置に入った空気のような気体や、気体中の水や酸素等の分子及び集塵フィルタなどによって除去されなかった微粒子が、光電子を捕獲することによりマイナス粒子となり、装置外に放出されるというものである。光電子を放出した後の光電子発生材には、光電子の放出箇所に正孔ができるために、放出された光電子を捕獲したマイナス粒子と正孔との間には電気的引力が働き、マイナス粒子は光電子放出材に電気的な吸着をするので、光電子発生材を電気的に接地することにより、正孔に電子を補充している。
【０００６】
また、光電子発生材の表面に空気が流れるように流路制御材を空気入口に設けることで、発生したマイナス粒子が効率よく光電子発生材の表面から空気出口へ流れるというものである。
【０００７】
ところが、光電子を発生させるための紫外線には、波長によって性質が異なることは既に知られている。前記従来例では特に紫外線の波長の限定は無く、照射する紫外線のエネルギーは光電子を発生させるエネルギーより高ければ、マイナス粒子は生成するというものであった。
【０００８】
本発明は、前記従来のマイナス粒子の発生に加えて、オゾンを生成し、前記オゾンによって有害物質を分解することもできるマイナス粒子発生装置を実現するものである。
【０００９】
【課題を解決するための手段】
前記従来の課題を解決するために、本発明のマイナス粒子発生装置は、電気的に接地した光電子発生材と、前記光電子発生材に光を照射するための光源とを備え、前記光電子発生材に光を照射すると共に、前記光電子発生材の表面に空気を流すことによりマイナス粒子を発生させるマイナス粒子発生装置において、前記光源は少なくとも２００ｎｍ以下の波長を含む紫外線を発生することを特徴とする。
【００１０】
本発明によれば、電気的に接地した光電子発生材に少なくとも２００ｎｍ以下の紫外線を含む光を照射することで、光電効果が起こることにより光電子が発生する。装置に入った気体中の分子や微粒子が、光電子を捕獲することによりマイナス粒子となり、装置外に放出される。
【００１１】
一方、光電子を放出した光電子発生材は、光電子の放出箇所に正孔ができるが、光電子発生材を電気的に接地することにより、すぐに正孔には電子が補充され電気的に中和される。光電子発生材の表面に気体が衝突するように、気体を流すことにより、発生したマイナス粒子が光電子発生材の表面に戻らないため、マイナス粒子は減少することなく発生することができる。
【００１２】
また、２００ｎｍ以下の紫外線を照射することで、空気中に含まれる酸素からオゾンが生成される。そのためオゾンにより空気中の有害物質を分解することもできるようになるものである。
【００１３】
【発明の実施の形態】
請求項１に記載した発明は、電気的に接地した光電子発生材と、前記光電子発生材に光を照射するための光源とを備え、前記光電子発生材に光を照射すると共に、前記光電子発生材の表面に空気を流すことによりマイナス粒子を発生させるマイナス粒子発生装置において、前記光源は少なくとも２００ｎｍ以下の波長を含む紫外線を発生する構成とした。
【００１４】
これにより、マイナス粒子を安定して空気中に放出することができると共に、２００ｎｍ以下の紫外線を照射するため、空気中に含まれる酸素からオゾンを生成でき、前記オゾンにより空気中の有害物質を分解することもできるようになる。
【００１５】
請求項２に記載した発明は、請求項１に記載の発明に加えて、通風手段を備え、前記通風手段によって光電子発生材に空気を流すことを特徴とする。
【００１６】
そして、光を照射された光電子発生材からは光電子が放出され、光電子発生材を電気的に接地することによって光電子が抜け出した跡である正孔は速やかに電気的に中和され、光電子が正孔に戻りにくくする。しかし、たとえ光電子発生材が電気的に中和されていても光電子と光電子発生材との間には電気的鏡像力が作用し、微弱ではあるが光電子が光電子発生材に戻ろうとする。従って、発生した光電子を速やかに光電子発生材から引き離す手段が必要であり、発明者等は特にその手段として通風が有効であることを見出した。つまり、光電子発生材に通風することにより発生した光電子が空気分子と衝突しながら光電子発生材から引き離されるので、光電子が光電子発生材に戻る傾向が弱くなり、結果として装置からは効率良くマイナス粒子が発生することとなる。
【００１７】
請求項３に記載した発明は、特に、請求項１または２に記載の光電子発生材を、電気的に接地した導電性基材上に設けてなることを特徴とするものである。
【００１８】
そして、光電子発生材として例えば金等の貴金属を用いる場合、それを基材上に設けることによりたとえ貴金属層が薄層であっても機械的強度を有する部材となるものである。
【００１９】
請求項４に記載した発明は、特に、請求項１ないし３のいずれか１項に記載の光源が、直管状であることを特徴とする。
【００２０】
そして、光源として直管状のランプを用いれば、光源の体積を小さくすることができるため、光電子発生材に送る気体の量を増加させることが可能になる。そのため発生するマイナス粒子数が増加するので、マイナス粒子を発生させるための光源として適している。
【００２１】
【実施例】
以下、本発明の実施例について説明する。
【００２２】
（実施例１）
図１は実施例１のマイナス粒子発生装置の要部断面図である。図１において、光電子発生材１が容器６の内部及び気体出口４近傍に設置されている。光電子発生材１には電気的な接地５が取り付けられている。光源２からの光によって光電子発生材１から光電子が発生し、空気入口３から入ってくる空気中の水や酸素等の分子または埃等の微粒子に、光電子が捕獲されてマイナス粒子として空気出口４から装置外に放出される。また、空気入口３近傍には流路制御材７が設けられており、この流路制御材７により空気入口３から入ってくる空気は、光電子発生材１の表面に流れるように構成されている。
【００２３】
本実施例では、前記光電子発生材１は、金、白金、銀、銅、ステンレス、窒化チタンの中から選ばれた１種類以上であるものを使用している。これらの光電子発生材は仕事関数が小さく、光を照射したときに金属表面から効率よく光電子が発生するため、マイナス粒子を効率よく発生させるのに適している。
【００２４】
また本実施例では、電気的な接地５を光電子発生材１に取り付けている。光電効果により光電子が放出された光電子発生材は、光電子の放出箇所に正孔ができ、光電子と正孔との間に電気的引力が働き、発生した光電子が光電子発生材に吸着される。そこで光電子発生材を電気的に接地することにより、正孔には電子が補充されるため、放出された光電子が正孔に戻ることがないので、マイナス粒子を減少させることなく発生させるのに適している。
【００２５】
以下、本実施例の効果について実験例を用いて説明する。
【００２６】
容器６として内径３ｃｍ、長さ７ｃｍのステンレス製容器を用い、光電子発生材１として厚さ０．１ｍｍの金を用いた。また、光源２として２００ｎｍ以下の波長を含む３Ｗの紫外線ランプを用いた。
【００２７】
光電子発生材１に電気的な接地５を取り付けて、本実施例のマイナス粒子発生装置の性能を評価するための実験を行った。光源２の紫外線ランプを点灯し、マイナス粒子を発生させた。測定は気体出口４から１ｃｍの位置で行い、装置作動後から２分毎に１０分間、単位体積当たりのマイナス粒子の数をイオンテスターで測定した。また気体出口４から１ｃｍの位置でオゾン濃度の測定を行った。
【００２８】
また、従来例として図８に示した装置で、前記と同様の試験を行いマイナス粒子の数及びオゾン濃度を測定した。これらの試験結果をまとめて図２及び図３に示す。
【００２９】
図２の結果から明らかなように、本実施例のマイナス粒子発生装置を用いれば、常に安定したマイナス粒子の発生が見られた。従来例でも初期の発生量は本発明とほぼ同数であり、経過時間毎のマイナス粒子数も同数であった。また、図３の結果から明らかなように、本実施例のマイナス粒子発生装置を用いれば、常に一定濃度のオゾンを生成することができた。従来例ではオゾンの生成は見られなかった。これらのことから、本発明は従来例とマイナス粒子の発生量はほぼ同数であるが、常に一定濃度のオゾンを生成できることがわかる。しかもマイナス粒子とオゾン濃度は経過時間毎に減少させることなく、常に一定に空間内へのマイナス粒子及びオゾンの供給を実現できることがわかる。
【００３０】
（実施例２）
図４は実施例２のマイナス粒子発生装置の要部断面図である。図４において、光電子発生材１１が導電性基材１２の表面に担持されている以外は図１とほぼ同じである。
【００３１】
本実施例では、前記光電子発生材１１は、金、白金、銀、銅、ステンレス、窒化チタンの中から選ばれた１種類以上であるものを使用している。これらの光電子発生材は仕事関数が小さく、紫外線を照射したときに金属表面から効率よく光電子が発生するため、マイナス粒子を効率よく発生させるのに適している。
【００３２】
また本実施例では、電気的な接地５を導電性基材１２に取り付けている。光電効果により光電子が放出された光電子発生材１１は、光電子の放出箇所に正孔ができ、光電子と正孔との間に電気的引力が働き、発生した光電子が光電子発生材に吸着される。そこで導電性基材を電気的に接地することにより、正孔には電子が補充されるため、放出された光電子が正孔に戻ることがないので、マイナス粒子を減少させることなく発生させるのに適している。
【００３３】
以下、本実施例の効果について実験例を用いて説明する。
【００３４】
容器６として内径３ｃｍ、長さ７ｃｍのステンレス製円筒状容器を用い、導電性基材１２として厚さ０．５ｍｍのステンレスを用い、これに光電子発生材１１として金をメッキした。また、光源１３として２００ｎｍ以下の波長を含む３Ｗの紫外線殺菌ランプを用いた。
【００３５】
導電性基材１２に電気的な接地５を取り付けて、本マイナス粒子発生装置の性能を評価するための実験を行った。光源１３の紫外線殺菌ランプを点灯し、マイナス粒子を発生させた。測定は気体出口４から１ｃｍの位置で行い、装置作動後から２分毎に１０分間、単位体積当たりのマイナス粒子の数をイオンテスターで測定した。試験結果を図５に示す。
【００３６】
図５の結果から明らかなように、本実施例のマイナス粒子発生装置を用いれば、常に安定したマイナス粒子の発生が見られた。このことから、本発明はマイナス粒子の発生を減少させることなく、常に一定に空気中へのマイナス粒子の供給を実現できることがわかる。
【００３７】
（実施例３）
図６は実施例３のマイナス粒子発生装置の要部断面図である。図６において、通風装置２１が設置されている以外は実施例２と同じである。
【００３８】
本実施例では、前記光電子発生材１１は、金、白金、銀、銅、ステンレス、窒化チタンの中から選ばれた１種類以上であるものを使用している。これらの光電子発生材は仕事関数が小さく、紫外線を照射したときに金属表面から効率よく光電子が発生するため、マイナス粒子を効率よく発生させるのに適している。
【００３９】
また本実施例では、電気的な接地５を導電性基材１２に取り付けている。光電効果により光電子が放出された光電子発生材１１は、光電子の放出箇所に正孔ができ、光電子と正孔との間に電気的引力が働き、発生した光電子が光電子発生材に吸着される。そこで導電性基材を電気的に接地することにより、正孔には電子が補充されるため、放出された光電子が正孔に戻ることがないので、マイナス粒子を減少させることなく発生させるのに適している。
【００４０】
以下、本実施例の効果について第一の実験例を用いて説明する。
【００４１】
容器６として内径３ｃｍ、長さ７ｃｍのステンレス製容器を用い、導電性基材１２として厚さ０．５ｍｍのステンレスを用い、これに光電子発生材１１として金をメッキした。また、光源３として２００ｎｍ以下の波長を含む３Ｗの紫外線ランプを用いた。
【００４２】
導電性基材１２に電気的な接地５を取り付けて、本実施例のマイナス粒子発生装置の性能を評価するための実験を行った。光源２の紫外線ランプを点灯し、通風手段２１を作動し、マイナス粒子を発生させた。測定は気体出口４から１ｃｍの位置で行い、装置作動後から２分毎に１０分間、単位体積当たりのマイナス粒子の数をイオンテスターで測定した。試験結果を図７に示す。
【００４３】
図７の結果から明らかなように、本実施例のマイナス粒子発生装置を用いれば、常に安定したマイナス粒子の発生が見られた。このことから、通風手段を用いれば、マイナス粒子の発生がより一層多くなり、また常に一定に空間内へのマイナス粒子の供給を実現できることがわかる。
【００４４】
次に、本実施例の効果について第二の実験例を用いて説明する。
【００４５】
光電子発生材１１として、金、白金、銀、銅、ステンレス、窒化チタンからなるマイナス粒子発生装置を用いて、実験１と同様の方法で、マイナス粒子の測定を行った。なお、測定は気体出口４から１ｃｍの位置で行い、装置作動後２分後に単位体積当たりのマイナス粒子の数をイオンテスターで測定した。測定結果を表１に示す。
【００４６】
【表１】
2004227795.tif 000003
【００４７】
表１の結果から明らかなように、本発明のマイナス粒子発生装置を用いて、光電子発生材として、金、白金、銀、銅、ステンレス、窒化チタンを用いれば、多くのマイナス粒子が発生することが判明した。その中でも特に金、白金、窒化チタンを用いた場合に大量のマイナス粒子が発生することがわかった。
【００４８】
次に、本実施例の効果について第三の実験例を用いて説明する。
【００４９】
光電子発生材１１として金、導電性基材１２として、銅、アルミニウム、ステンレス、真鍮からなるマイナス粒子発生装置を用いて、実験１と同様の方法で、マイナス粒子の測定を行った。なお、測定は気体出口４から１ｃｍの位置で行い、装置作動後２分後に単位体積当たりのマイナス粒子の数をイオンテスターで測定した。測定結果を表２に示す。
【００５０】
【表２】
2004227795.tif 000004
【００５１】
表２の結果から明らかなように、本発明のマイナス粒子発生装置を用いて、光電子発生材として金、導電性基材として、銅、アルミニウム、ステンレス、真鍮を用いれば、多くのマイナス粒子が発生することが判明した。その中でも特にステンレスを用いた場合に大量のマイナス粒子が発生することがわかった。
【００５２】
なお、実施例１から実施例３では、内径３ｃｍ、長さ７ｃｍのステンレス製容器を用いたが、形状、大きさ、厚さ、種類は限定されるものではなく、マイナス粒子発生装置として適用できる形状や大きさや厚さや種類であれば、どのようなものでも構わない。
【００５３】
また、実施例２、実施例３では、導電性基材として厚さ０．５ｍｍのステンレスを用いたが、厚さ、種類は限定されるものではなく、導電性であり、なおかつ光電子発生材が担持できれば、どのようなものでも構わない。
【００５４】
以上のように本実施例において、空間にマイナス粒子とオゾンを添加するマイナス粒子発生装置を得ることができた。尚、本実施例のマイナス粒子発生装置を備えた空気調和装置として、空気清浄機、エアコン、ファンヒーター、除湿機、加湿機、介護臭等の脱臭器、トイレ用の脱臭器等にも応用可能であることはいうまでもない。
【００５５】
【発明の効果】
以上のように本発明によれば、マイナス粒子の発生に加えて、オゾンも生成でき、生成したオゾンにより有害物質を分解することもできるようになる。
【図面の簡単な説明】
【図１】本発明の実施例１におけるマイナス粒子発生装置の構成を示す要部断面図
【図２】同マイナス粒子発生装置と従来例の各々のマイナス粒子発生量を示すグラフ
【図３】同マイナス粒子発生装置と従来例の各々のオゾン発生量を示すグラフ
【図４】本発明の実施例２におけるマイナス粒子発生装置の構成を示す要部断面図
【図５】同マイナス粒子発生装置におけるマイナス粒子発生量を示すグラフ
【図６】本発明の実施例３におけるマイナス粒子発生装置の構成を示す要部断面図
【図７】同マイナス粒子発生装置におけるマイナス粒子発生量を示すグラフ
【図８】従来例のマイナス粒子発生装置の構成を示す要部断面図
【符号の説明】
１、１１  光電子発生材
２  光源
３  空気入口
４  空気出口
５  電気的な接地
６  容器
１２  導電性基材
２１  通風手段
【図１】
2004227795.tif 000005
【図２】
2004227795.tif 000006
【図３】
2004227795.tif 000007
【図４】
2004227795.tif 000008
【図５】
2004227795.tif 000009
【図６】
2004227795.tif 000010
【図７】
2004227795.tif 000011
【図８】
2004227795.tif 000012